(57)【要約】      （修正有）【課題】利用者の生体データのみならず、その利用者の所在雰囲気中の気象データを考慮した上で、利用者の体調に応じて適切な食品類や薬剤の配合を行う。【解決手段】食品類あるいはき薬剤を複数収容した収容手段１２０Ａ，１２０Ｂ，１２０Ｃと、前記収容手段のそれぞれの収容物を指示に基づいて出力する吐出部と、利用者の生体データ値を検出する生体センサ１１５と、該生体データ値により該利用者の体調を判定し、該判定結果と該利用者の所在雰囲気中の気象データとに応じて前記収容物のそれぞれの中から適した配合を決定すると共に、前記吐出部を介して前記決定に応じた前記収容物を出力させる制御手段１１１ａと、を備える。【選択図】図１
2008068062.tif 000002
【特許請求の範囲】
【請求項１】
健康食品、調味料、もしくはサプリメントなどの食品類あるいは薬剤を複数収容した収容手段と、
前記収容手段のそれぞれの収容物を指示に基づいて出力する吐出部と、
利用者の生体データ値を検出する生体センサと、
該利用者の所在雰囲気中の気象データを検出する気象センサと、
該生体センサによって検出された生体データ値により該利用者の体調を判定し、該判定結果と前記所在雰囲気中の気象データとに応じて前記収容物のそれぞれの中から適した配合を決定すると共に、前記吐出部を介して前記決定に応じた前記収容物を出力させる制御手段と、
を備えたことを特徴とする配合出力装置。
【請求項２】
健康食品、調味料、もしくはサプリメントなどの食品類あるいは薬剤を複数収容した収容手段と、
前記収容手段のそれぞれの収容物を指示に基づいて出力する吐出部と、
利用者の生体データ値を検出する生体センサと、
該利用者の所在雰囲気中の気象データを検出する気象センサと、
該利用者の体調を判定するための生体データ閾値を、気象条件毎に予め設定されて保持する閾値テーブルと、
該気象センサによって検出された気象データに対応する気象条件について設定された生体データ閾値を該閾値テーブルから検索して読み出す閾値読出手段と、
該閾値読出手段によって読み出された生体データ閾値と該生体センサによって検出された生体データ値とを比較する比較手段と、
該比較手段による比較により、該利用者の体調を判定し、該判定結果と前記所在雰囲気中の気象データとに応じて前記収容物のそれぞれの中から適した配合を決定すると共に、前記吐出部を介して前記決定に応じた前記収容物を出力させる制御手段と、
を備えたことを特徴とする配合出力装置。
【請求項３】
外部と通信可能な通信手段を備え、
前記制御手段は、前記通信手段を介した外部からの指示も参照して前記決定を行う、
ことを特徴とする請求項２記載の配合出力装置。
【請求項４】
前記制御手段は、前記生体データ値に基づく前記利用者の体調の判定結果と前記利用者の所在雰囲気中の気象データとに加え、時刻情報を参照して前記決定を行う、
ことを特徴とする請求項１〜請求項３のいずれか一項に記載の配合出力装置。
【請求項５】
生体センサによって検出された利用者の生体データ値と、気象センサによって検出された該利用者の所在雰囲気中の気象データとに基づいて、健康食品、調味料、もしくはサプリメントなどの食品類あるいは薬剤の配合を行う配合出力装置のコンピュータに制御を実行させる配合出力プログラムであって、
該生体センサによって検出された生体データ値により該利用者の体調を判定し、該判定結果と前記所在雰囲気中の気象データとに応じて、前記収容手段のそれぞれに収容された収容物について適した配合を決定すると共に、前記決定に応じた前記収容物を出力させる制御手段、としてコンピュータを機能させる、
ことを特徴とする配合出力プログラム。
【請求項６】
生体センサによって検出された利用者の生体データ値と、気象センサによって検出された該利用者の所在雰囲気中の気象データとに基づいて、該利用者の体調に応じて、健康食品、調味料、もしくはサプリメントなどの食品類あるいは薬剤の配合を行う配合出力装置
のコンピュータに制御を実行させる配合出力プログラムであって、
該利用者の体調を判定するための生体データ閾値を、気象条件毎に保持する閾値テーブルを作成・設定する手段、
該気象センサによって検出された気象データに対応する気象条件について設定された生体データ閾値を該閾値テーブルから検索して読み出す閾値読出手段、
該閾値読出手段によって読み出された生体データ閾値と該生体センサによって検出された生体データ値とを比較する比較手段、および、
該比較手段による比較により、該利用者の体調を判定し、該判定結果と前記所在雰囲気中の気象データとに応じて前記収容手段のそれぞれに収容された収容物について適した配合を決定すると共に、前記吐出部を介して前記決定に応じた前記収容物を出力させる制御手段、として配合出力装置のコンピュータを機能させる、
ことを特徴とする配合出力プログラム。
【請求項７】
外部と通信を行うための通信プログラムを備え、
外部からの指示も参照して前記決定を行うように前記コンピュータを機能させる、
ことを特徴とする請求項５または請求項６に記載の配合出力プログラム。
【請求項８】
前記生体データ値に基づく前記利用者の体調の判定結果と前記利用者の所在雰囲気中の気象データとに加え、時刻情報を参照して前記決定を行うように前記コンピュータを機能させる、
ことを特徴とする請求項５〜請求項７のいずれか一項に記載の配合出力プログラム。
【請求項９】
前記収容手段に成分の異なる複数の歯磨き粉が収容され、
前記吐出部に歯ブラシとして用いられるブラシ部が配置され、
前記生体センサとして臭いセンサを備え、
前記制御手段は、前記臭いセンサの検出結果を参照し、前記収容物のそれぞれの中から適した配合を決定すると共に、前記吐出部を介して前記決定に応じた前記収容物を出力させる、
ことを特徴とする請求項１〜請求項４のいずれか一項に記載の配合出力装置。
【発明の詳細な説明】
【技術分野】
【０００１】
本発明は、利用者の体調を検出し、検出された気象条件や体調に応じて、容器に収容された複数の食品類あるいは投与すべき薬剤を適切に配合して出力する配合出力装置、および、同装置を実現するための配合出力プログラムに関する。
【背景技術】
【０００２】
近年、ビタミンやミネラル等のサプリメントや健康食品がブームになっており、各種のサプリメントや健康食品が市販されている。また、一般的な調味料などにおいても、ナトリウムを抑えた塩、カロリーの少ない人工甘味料なども一般的に用いられるようになっている。
【０００３】
このような状況で、どのようなサプリメントや食品が適しているかを見極めることが難しい問題がある。
そこで、病院の検査データを元にしてサプリメントの配合データを生成するシステムが、以下の特許文献１に提案されている。
【特許文献１】特開2002-024402
【発明の開示】
【発明が解決しようとする課題】
【０００４】
ところで、上述した特許文献１の調合システムでは、検査データの入力やその他の個人のデータの入力が必要になるため、使用が面倒である問題を有する。
また、病院での検査を定期的に実行したとしても、日々刻々と変化する体調に対応することができない問題もある。
【０００５】
なお、１日のうちでも、時刻、場所、環境（所在雰囲気）、運動量などにおいて体調が微妙に変化し、それに応じて必要となるサプリメントや健康食品の内容（種類や量や組み合わせ）も微妙に変化するが、そのような変化に対応することも配慮されていない。
【０００６】
また、データを変更しないまま、他人が使用した場合に、その他人には適していない状態の調合がなされてしまうという問題も生じる。
また、風邪薬などの簡単な医薬品であっても、頭痛・発熱・鼻水・喉の痛み・咳などの個々の症状により、適した薬剤は異なっている。また、漢方薬にあっては、同じ症状であっても、本人の体質や体調に応じて、用いる薬剤が異なることが知られている。
【０００７】
本発明は、このような課題に鑑み創案されたもので、利用する際に適切な食品類（健康食品、調味料、もしくはサプリメントなど）あるいは投与すべき薬剤の配合を行うことを目的としている。
【０００８】
また、本発明は、このような課題に鑑み創案されたもので、利用者の生体データを考慮した上で、利用者の体調に応じてリアルタイムで適切な食品類（健康食品、調味料、もしくはサプリメントなど）あるいは投与すべき薬剤の配合を行うことを目的としている。
【０００９】
また、本発明は、このような課題に鑑み創案されたもので、利用者の生体データのみならず、その利用者の所在雰囲気中の気象データを考慮した上で、各種環境下における利用者の体調を適切に判定し、利用者の自己判断や過去の検査データなどに頼ることなく、利用者の体調に応じてリアルタイムで適切な食品類（健康食品、調味料、もしくはサプリメントなど）あるいは投与すべき薬剤の配合を行うことを目的としている。
【課題を解決するための手段】
【００１０】
上記目的を達成するために、本発明は以下のように構成されている。
（１）以下の発明は、健康食品、調味料、もしくはサプリメントなどの食品類あるいは薬剤を複数収容した収容手段と、前記収容手段のそれぞれの収容物を指示に基づいて出力する吐出部と、利用者の体調に応じて前記収容物のそれぞれの中から適した配合を決定すると共に、前記吐出部を介して前記決定に応じた前記収容物を出力させる制御手段と、を備えたことを特徴とする配合出力装置である。
【００１１】
この配合出力装置では、健康食品、調味料、もしくはサプリメントなどの食品類あるいは薬剤を複数の収容手段に収容しておき、利用者の体調に応じて前記収容物のそれぞれの中から適した配合を決定し、吐出部を介して決定に応じた収容物を出力させる制御を行う。
【００１２】
すなわち、請求項１記載の発明は、健康食品、調味料、もしくはサプリメントなどの食品類あるいは薬剤を複数収容した収容手段と、前記収容手段のそれぞれの収容物を指示に基づいて出力する吐出部と、利用者の生体データ値を検出する生体センサと、該利用者の所在雰囲気中の気象データを検出する気象センサと、該生体センサによって検出された生体データ値により該利用者の体調を判定し、該判定結果と前記所在雰囲気中の気象データとに応じて前記収容物のそれぞれの中から適した配合を決定すると共に、前記吐出部を介して前記決定に応じた前記収容物を出力させる制御手段と、を備えたことを特徴とする配合出力装置である。
【００１３】
ここで、前記生体センサは、前記生体データ値として、体温，血圧，心拍数，呼吸数，脈波，心電，血中酸素飽和濃度，血中酸素濃度，筋組織酸素濃度のうちの少なくとも一つを検出する。また、前記気象センサは、前記気象データとして、気温，水温，湿度，気圧，水圧，日照状況，紫外線量のうちの少なくとも一つを検出する。
【００１４】
この配合出力装置では、健康食品、調味料、もしくはサプリメントなどの食品類あるいは薬剤を複数の収容手段に収容しておき、生体センサで検出された生体データ値に基づいて利用者の体調を判定し、該判定結果と気象データとに応じて収容物のそれぞれの中から適した配合を決定し、吐出部を介して決定に応じた収容物を出力させる制御を行う。
【００１５】
（２）請求項２記載の発明は、健康食品、調味料、もしくはサプリメントなどの食品類あるいは薬剤を複数収容した収容手段と、前記収容手段のそれぞれの収容物を指示に基づいて出力する吐出部と、利用者の生体データ値を検出する生体センサと、該利用者の所在雰囲気中の気象データを検出する気象センサと、該利用者の体調を判定するための生体データ閾値を、気象条件毎に予め設定されて保持する閾値テーブルと、該気象センサによって検出された気象データに対応する気象条件について設定された生体データ閾値を該閾値テーブルから検索して読み出す閾値読出手段と、該閾値読出手段によって読み出された生体データ閾値と該生体センサによって検出された生体データ値とを比較する比較手段と、該比較手段による比較により、該利用者の体調を判定し、該判定結果と前記所在雰囲気中の気象データとに応じて前記収容物のそれぞれの中から適した配合を決定すると共に、前記吐出部を介して前記決定に応じた前記収容物を出力させる制御手段と、を備えたことを特徴とする配合出力装置である。
【００１６】
この配合出力装置では、生体センサによって検出された利用者の生体データ値と、気象センサによって検出された該利用者の所在雰囲気中の気象データとに基づいて、検出された気象データに対応する気象条件について設定された生体データ閾値を該閾値テーブルから検索して読み出し、読み出された生体データ閾値と生体データ値とを比較し、該利用者
の体調を判定し、該判定結果と気象データとに応じて前記収容物のそれぞれの中から適した配合を決定すると共に、決定に応じた種類と量の食品類あるいは投与すべき薬剤を出力する。
【００１７】
（３）請求項３記載の発明は、外部と通信可能な通信手段を備え、前記制御手段は、前記通信手段を介した外部からの指示も参照して前記決定を行う、ことを特徴とする請求項２記載の配合出力装置である。
【００１８】
この配合出力装置では、生体センサによって検出された利用者の生体データ値と、気象センサによって検出された該利用者の所在雰囲気中の気象データと、通信手段を介した外部からの指示とに基づいて、検出された気象データに対応する気象条件について設定された生体データ閾値を該閾値テーブルから検索して読み出し、読み出された生体データ閾値と生体データ値とを比較し、該利用者の体調を判定し、該判定結果と気象データとに応じて前記収容物のそれぞれの中から適した配合を決定すると共に、決定に応じた種類と量の食品類あるいは投与すべき薬剤を出力する。
【００１９】
この場合、生体データ値と気象データだけでなく、外部の指示により、さらに詳細な体調の判定と配合の決定とが可能になる。また、この場合の外部の指示により、利用者の過去の生体データ値や過去の検査結果、あるいは、今後予想される気象の変化（天候の変化など）も加味した状態での配合が可能になる。
【００２０】
（４）請求項４記載の発明は、前記生体データ値に基づく前記利用者の体調の判定結果と前記利用者の所在雰囲気中の気象データとに加え、時刻情報に応じて適した配合を決定する、ことを特徴とする請求項１〜請求項３のいずれか一項に記載の配合出力装置である。
【００２１】
この配合出力装置では、利用者の体調と気象データとに加え、時刻情報に応じて収容物のそれぞれの中から適した配合を決定する。
（５）請求項５記載の発明は、生体センサによって検出された利用者の生体データ値と、気象センサによって検出された該利用者の所在雰囲気中の気象データとに基づいて、健康食品、調味料、もしくはサプリメントなどの食品類あるいは薬剤の配合を行う配合出力装置のコンピュータに制御を実行させる配合出力プログラムであって、該生体センサによって検出された生体データ値により該利用者の体調を判定し、該判定結果と前記所在雰囲気中の気象データとに応じて、前記収容手段のそれぞれに収容された収容物について適した配合を決定すると共に、前記決定に応じた前記収容物を出力させる制御手段、としてコンピュータを機能させる、ことを特徴とする配合出力プログラムである。
【００２２】
ここで、前記生体センサで検出される前記生体データ値として、体温，血圧，心拍数，呼吸数，脈波，心電，血中酸素飽和濃度，血中酸素濃度，筋組織酸素濃度のうちの少なくとも一つがコンピュータに入力される。また、前記気象センサで検出される前記気象データとして、気温，水温，湿度，気圧，水圧，日照状況，紫外線量のうちの少なくとも一つがコンピュータに入力される。。
【００２３】
この配合出力プログラムでは、健康食品、調味料、もしくはサプリメントなどの食品類あるいは薬剤を複数の収容手段に収容しておき、生体センサで検出された生体データ値に基づいて利用者の体調を判定し、該判定結果と気象データとに応じて収容物のそれぞれの中から適した配合を決定し、吐出部を介して決定に応じた収容物を出力させるように、コンピュータを機能させる。
【００２４】
（６）請求項６記載の発明は、生体センサによって検出された利用者の生体データ値と
、気象センサによって検出された該利用者の所在雰囲気中の気象データとに基づいて、該利用者の体調に応じて、健康食品、調味料、もしくはサプリメントなどの食品類あるいは薬剤の配合を行う配合出力装置のコンピュータに制御を実行させる配合出力プログラムであって、該利用者の体調を判定するための生体データ閾値を、気象条件毎に保持する閾値テーブルを作成・設定する手段、該気象センサによって検出された気象データに対応する気象条件について設定された生体データ閾値を該閾値テーブルから検索して読み出す閾値読出手段、該閾値読出手段によって読み出された生体データ閾値と該生体センサによって検出された生体データ値とを比較する比較手段、および、該比較手段による比較により、該利用者の体調を判定し、該判定結果と前記所在雰囲気中の気象データとに応じて前記収容手段のそれぞれに収容された収容物について適した配合を決定すると共に、前記吐出部を介して前記決定に応じた前記収容物を出力させる制御手段、として配合出力装置のコンピュータを機能させる、ことを特徴とする配合出力プログラムである。
【００２５】
この配合出力プログラムでは、生体センサによって検出された利用者の生体データ値と、気象センサによって検出された該利用者の所在雰囲気中の気象データとに基づいて、検出された気象データに対応する気象条件について設定された生体データ閾値を該閾値テーブルから検索して読み出し、読み出された生体データ閾値と生体データ値とを比較し、該利用者の体調を判定し、該判定結果と気象データとに応じて前記収容物のそれぞれの中から適した配合を決定すると共に、決定に応じた種類と量の食品類あるいは投与すべき薬剤を出力するように、コンピュータを機能させる。
【００２６】
（７）請求項７記載の発明は、外部と通信を行うための通信プログラムを備え、外部からの指示も参照して前記決定を行うように前記コンピュータを機能させる、ことを特徴とする請求項５または請求項６に記載の配合出力プログラムである。
【００２７】
この配合出力プログラムでは、生体センサによって検出された利用者の生体データ値と、気象センサによって検出された該利用者の所在雰囲気中の気象データと、通信手段を介した外部からの指示とに基づいて、検出された気象データに対応する気象条件について設定された生体データ閾値を該閾値テーブルから検索して読み出し、読み出された生体データ閾値と生体データ値とを比較し、該利用者の体調を判定し、該判定結果と気象データとに応じて前記収容物のそれぞれの中から適した配合を決定すると共に、決定に応じた種類と量の食品類あるいは投与すべき薬剤を出力するように、コンピュータを機能させる。
【００２８】
この場合、生体データ値と気象データだけでなく、外部の指示により、さらに詳細な体調の判定と配合の決定とが可能になるようにコンピュータを機能させる。また、この場合の外部の指示により、利用者の過去の生体データ値や過去の検査結果、あるいは、今後予想される気象の変化（天候の変化など）も加味した状態での配合が可能なようにコンピュータを機能させる。
【００２９】
（８）請求項８記載の発明は、前記生体データ値に基づく前記利用者の体調の判定結果と前記利用者の所在雰囲気中の気象データとに加え、時刻情報を参照して前記決定を行うように前記コンピュータを機能させる、ことを特徴とする請求項５〜請求項７のいずれか一項に記載の配合出力プログラムである。
【００３０】
この配合出力プログラムでは、利用者の体調の判定結果とと気象データと時刻情報とに応じて収容物のそれぞれの中から適した配合を決定すると共に、決定に応じた種類と量の食品類あるいは投与すべき薬剤を出力するように、コンピュータを機能させる。
【００３１】
（９）請求項９記載の発明は、前記収容手段に成分の異なる複数の歯磨き粉が収容され、前記吐出部に歯ブラシとして用いられるブラシ部が配置され、前記生体センサとして臭
いセンサを備え、前記制御手段は、前記臭いセンサの検出結果を参照し、前記収容物のそれぞれの中から適した配合を決定すると共に、前記吐出部を介して前記決定に応じた前記収容物を出力させる、ことを特徴とする請求項１〜請求項４のいずれか一項に記載の配合出力装置である。
【発明の効果】
【００３２】
本発明によれば、以下のような効果を得ることができる。
（１）請求項１記載の配合出力装置の発明では、利用者の体調に応じて収容物のそれぞれの中から適した配合を決定すると共に、決定に応じた種類と量の食品類あるいは投与すべき薬剤を出力する。
【００３３】
すなわち、生体センサで検出された生体データ値に基づいて利用者の体調を判定し、該判定結果と前記所在雰囲気中の気象データとに応じて収容物のそれぞれの中から適した配合を決定し、吐出部を介して決定に応じた収容物を出力させる制御を行う。
【００３４】
これにより、利用者の生体データを考慮した上で、利用者の体調に応じてリアルタイムで適切な食品類（健康食品、調味料、もしくはサプリメントなど）あるいは投与すべき薬剤の配合を行うことが可能になる。
【００３５】
（２）請求項２記載の配合出力装置の発明では、生体センサによって検出された利用者の生体データ値と、気象センサによって検出された該利用者の所在雰囲気中の気象データとに基づいて、検出された気象データに対応する気象条件について設定された生体データ閾値を該閾値テーブルから検索して読み出し、読み出された生体データ閾値と生体データ値とを比較し、該利用者の体調を判定し、該判定結果と前記所在雰囲気中の気象データとに応じて前記収容物のそれぞれの中から適した配合を決定すると共に、決定に応じた種類と量の食品類あるいは投与すべき薬剤を出力する。
【００３６】
これにより、利用者の生体データのみならず、その利用者の所在雰囲気中の気象データを考慮した上で、各種環境下における利用者の体調を適切に判定し、利用者の自己判断や過去の検査データなどに頼ることなく、利用者の体調に応じてリアルタイムで適切な食品類（健康食品、調味料、もしくはサプリメントなど）あるいは投与すべき薬剤の配合を行うことが可能になる。
【００３７】
（３）請求項３記載の配合出力装置の発明では、外部と通信可能な通信手段を備えることで、生体センサによって検出された利用者の生体データ値と、気象センサによって検出された該利用者の所在雰囲気中の気象データと、通信手段を介した外部からの指示とに基づいて、検出された気象データに対応する気象条件について設定された生体データ閾値を該閾値テーブルから検索して読み出し、読み出された生体データ閾値と生体データ値とを比較し、該利用者の体調を判定し、該判定結果と前記所在雰囲気中の気象データとに応じて前記収容物のそれぞれの中から適した配合を決定すると共に、決定に応じた種類と量の食品類あるいは投与すべき薬剤を出力する。
【００３８】
この場合、生体データ値と気象データだけでなく、外部の指示により、さらに詳細な体調の判定と配合の決定とが可能になる。また、この場合の外部の指示により、利用者の過去の生体データ値や過去の検査結果、あるいは、今後予想される気象の変化（天候の変化など）も加味した状態での配合が可能になる。
【００３９】
この結果、利用者の生体データのみならず、その利用者の所在雰囲気中の気象データや外部の指示をも考慮に入れた上で、各種環境下における利用者の体調を適切に判定し、利用者の自己判断や過去の検査データなどに頼ることなく、利用者の体調に応じてリアルタ
イムで適切な食品類（健康食品、調味料、もしくはサプリメントなど）あるいは投与すべき薬剤を行うことが可能になる。
【００４０】
（４）請求項４記載の発明では、時刻情報に応じて収容物のそれぞれの中から適した配合を決定すると共に、決定に応じた種類と量の食品類あるいは投与すべき薬剤を出力するように、機能させる。
【００４１】
この結果、利用者が使用する時点で、リアルタイムで適切な食品類（健康食品、調味料、もしくはサプリメントなど）あるいは投与すべき薬剤を行うことが可能になる。すなわち、時刻データを参照して配合を行うことで、所在環境や体調だけでなく、食前、食後、食間、就寝前などに適した配合を行うことが可能になる。
【００４２】
（５）請求項５記載の配合出力プログラムの発明では、健康食品、調味料、もしくはサプリメントなどの食品類あるいは薬剤を複数の収容手段に収容しておき、生体センサで検出された生体データ値に基づいて利用者の体調を判定し、該判定結果と前記所在雰囲気中の気象データとに応じて収容物のそれぞれの中から適した配合を決定し、吐出部を介して決定に応じた収容物を出力させるように、コンピュータを機能させる。
【００４３】
この結果、利用者が使用する時点で、リアルタイムで適切な食品類（健康食品、調味料、もしくはサプリメントなど）あるいは投与すべき薬剤を行うことが可能になる。
（６）請求項６記載の配合出力プログラムの発明では、健康食品、調味料、もしくはサプリメントなどの食品類あるいは薬剤を複数の収容手段に収容しておき、生体センサで検出された生体データ値に基づいて利用者の体調を判定し、該判定結果に応じて収容物のそれぞれの中から適した配合を決定し、吐出部を介して決定に応じた収容物を出力させるように、コンピュータを機能させる。
【００４４】
これにより、利用者の生体データを考慮した上で、利用者の体調に応じてリアルタイムで適切な食品類（健康食品、調味料、もしくはサプリメントなど）あるいは投与すべき薬剤の配合を行うことが可能になる。
【００４５】
（６）請求項６記載の配合出力プログラムの発明では、生体センサによって検出された利用者の生体データ値と、気象センサによって検出された該利用者の所在雰囲気中の気象データとに基づいて、検出された気象データに対応する気象条件について設定された生体データ閾値を該閾値テーブルから検索して読み出し、読み出された生体データ閾値と生体データ値とを比較し、該利用者の体調を判定し、該判定結果と前記所在雰囲気中の気象データとに応じて前記収容物のそれぞれの中から適した配合を決定すると共に、決定に応じた種類と量の食品類あるいは投与すべき薬剤を出力するように、コンピュータを機能させる。
【００４６】
これにより、利用者の生体データのみならず、その利用者の所在雰囲気中の気象データを考慮した上で、各種環境下における利用者の体調を適切に判定し、利用者の自己判断や過去の検査データなどに頼ることなく、利用者の体調に応じてリアルタイムで適切な食品類（健康食品、調味料、もしくはサプリメントなど）あるいは投与すべき薬剤の配合を行うことが可能になる。
【００４７】
（７）請求項７記載の配合出力プログラムの発明では、生体センサによって検出された利用者の生体データ値と、気象センサによって検出された該利用者の所在雰囲気中の気象データと、通信手段を介した外部からの指示とに基づいて、検出された気象データに対応する気象条件について設定された生体データ閾値を該閾値テーブルから検索して読み出し、読み出された生体データ閾値と生体データ値とを比較し、該利用者の体調を判定し、該
判定結果と前記所在雰囲気中の気象データとに応じて前記収容物のそれぞれの中から適した配合を決定すると共に、決定に応じた種類と量の食品類あるいは投与すべき薬剤を出力するように、コンピュータを機能させる。
【００４８】
この場合、生体データ値と気象データだけでなく、外部の指示により、さらに詳細な体調の判定と配合の決定とが可能になるようにコンピュータを機能させる。また、この場合の外部の指示により、利用者の過去の生体データ値や過去の検査結果、あるいは、今後予想される気象の変化（天候の変化など）も加味した状態での配合が可能なようにコンピュータを機能させる。
【００４９】
この場合、生体データ値と気象データだけでなく、外部の指示により、さらに詳細な体調の判定と配合の決定とが可能になるようにコンピュータを機能させる。また、この場合の外部の指示により、利用者の過去の生体データ値や過去の検査結果、あるいは、今後予想される気象の変化（天候の変化など）も加味した状態での配合が可能なようにコンピュータを機能させる。
【００５０】
この結果、利用者の生体データのみならず、その利用者の所在雰囲気中の気象データを考慮した上で、各種環境下における利用者の体調を適切に判定し、利用者の自己判断や過去の検査データなどに頼ることなく、利用者の体調に応じてリアルタイムで適切な食品類（健康食品、調味料、もしくはサプリメントなど）あるいは投与すべき薬剤の配合を行うことが可能になる。
【００５１】
（８）請求項８記載の配合出力プログラムの発明では、利用者の体調の判定結果と時刻情報との両方に応じて収容物のそれぞれの中から適した配合を決定すると共に、決定に応じた種類と量の食品類あるいは投与すべき薬剤を出力するように、コンピュータを機能させる。
【００５２】
この結果、利用者が使用する時点で、リアルタイムで適切な食品類（健康食品、調味料、もしくはサプリメントなど）あるいは投与すべき薬剤を行うことが可能になる。すなわち、時刻データを参照して配合を行うことで、所在環境や体調だけでなく、食前、食後、食間、就寝前などに適した配合を行うことが可能になる。
【００５３】
（９）請求項９記載の発明では、臭いセンサの検出結果を参照し、収容物のそれぞれの中から適した配合を決定すると共に、吐出部を介して決定に応じた収容物（歯磨き粉）を出力させる。
【００５４】
すなわち、生体センサで検出された生体データ値に基づいて利用者の体調を判定し、該判定結果と所在雰囲気中の気象データとに応じて収容物のそれぞれの中から適した配合を決定し、吐出部を介して決定に応じた収容物を出力させる制御を行う。
【００５５】
これにより、口臭などの利用者の生体データを考慮した上で、利用者の体調に応じてリアルタイムで適切な歯磨き粉の配合を行うことが可能になる。
また、複数の歯磨き粉、複数の着色料、複数の香料、複数の甘味料などを収容しておき、時刻に応じた成分の歯磨き粉を選択すると共に、時刻に応じた色（朝は意識をはっきりさせる色の着色料、夜は精神を落ち着かせる色の着色料など）、時刻に応じた香料（朝は意識をはっきりさせる香料、夜は精神を落ち着かせる香料など）、時刻に応じた味（朝は意識をはっきりさせる刺激的な味の甘味料、夜は精神を落ち着かせる柔らかな味の甘味料など）、を選択して組み合わせることも可能である。
【００５６】
また、予め、口臭予防成分を多めにした朝用歯磨き粉、虫歯予防成分を多めにした夜用
歯磨き粉などを、収容手段に収容しておいて、時刻情報に応じて制御手段がいずれか一つを選択して出力することも可能である。
【発明を実施するための最良の形態】
【００５７】
以下、図面を参照して本発明の実施の形態を説明する。
〔１〕本発明の一実施形態の機械的な構成：
ここでは、経口接種などにより服用する粒状あるいは液状の食品類（健康食品、調味料、もしくはサプリメントなど）あるいは投与（服用あるいは注射）すべき薬剤について配合して出力する装置を具体例にして説明を行う。
【００５８】
なお、本願明細書において、「配合」とは、複数の食品類や薬剤について、二種以上のものを組み合わせること（調合）だけでなく、複数のうちのいずれか一つを選択することも含むものとする。
【００５９】
また、以上の食品類や薬剤に、着色料や甘味料や香料などの食品添加物などを含めてもよい。
図１は本発明の一実施形態としての配合出力装置の回路部分の構成を示すブロック図、図２は図１に示した回路部を含む本発明の一実施形態としての配合出力装置の外観構成を示す斜視図、図３は図１に示す回路部を含む本発明の一実施形態としての配合出力装置の機械的な内部構成を示す概略説明図である。
【００６０】
まず、本実施形態の配合出力装置１００の構成について、図２と図３とを参照しながら説明する。
まず、図２に示すように、本実施形態の配合出力装置１００は、一例として、ボトル形状に構成されており、筐体となるボトル本体部１０１と、注ぎ口１０３とを備えている。そして、ボトル本体部１０１には、通常時には閉じた状態であって開閉可能な蓋１０５が設けられている。また、また、ボトル本体部１０１のいずれかの位置に、後述する生体センサ１１５の電極部１１５ａ〜１１５ｂ、操作スイッチ１１６などが配置されている。
【００６１】
なお、後述するように、注射器の形状、あるいは、薬剤塗布容器などとして構成することも可能である。
また、ボトル本体部１０１の内部には、後述する回路部１１０と、各種の食品類（健康食品、調味料、もしくはサプリメントなど）あるいは薬剤が種類別に収容されている収容手段１２０Ａ〜１２０Ｃと、これら収容手段１２０Ａ〜１２０Ｃの出口から注ぎ口１０３へ導く誘導パイプ１３０Ａ〜１３０Ｃと、前記回路部１１０からの制御に基づいて前記誘導パイプ１３０Ａ〜１３０Ｃのそれぞれの開閉および流量制御を行う流量制御バルブ１４０と、が設けられている。
【００６２】
なお、収容手段１２０Ａ〜１２０Ｃは、ボトル本体部１０１の蓋１０５を開けた状態で、交換が可能である。また、この収容手段１２０Ａ〜１２０Ｃは、可撓性の部材で構成されていて利用者が圧力を加えることで収容された食品類あるいは薬剤が吐出される構成であってもよいし、容器内部がガスで加圧されていて流量制御バルブ１４０が開くことで収容された食品類あるいは薬剤が吐出される構成であってもよい。また、ここでは、収容手段１２０Ａ〜１２０Ｃの３本（３種類）の例を示したが、２種類であってもよいし、４種類以上であってもよい。
【００６３】
また、この配合出力装置１００は、収容される食品類あるいは薬剤の容量に応じて、掌で握る程度の大きさであってもよいし、指でつまむ程度の小さいものであってもよい。
〔２〕本発明の一実施形態の電気的な構成：
ついで、上述した配合出力装置１００の電気的な構成について、図１を参照しながら説
明する。この図１に示すように、本実施形態の配合出力装置１００は、制御手段を構成するＣＰＵ１１１、気象センサ１１２、ＧＰＳ位置検出部１１３、閾値テーブル１１４、生体センサ１１５、操作スイッチ１１６、配合データメモリ１１７をそなえて構成されている。
【００６４】
ＣＰＵ（Central Processing Unit）１５は、所定のアプリケーションプログラム（配
合出力プログラム）を実行することにより、制御手段１１１ａ，後述する閾値設定手段１１１ｂ，閾値読出手段１１１ｃ，比較手段１１１ｄ，駆動手段１１１ｅ，通信手段１１１ｆ，として機能するものである。
【００６５】
気象センサ１１２は、利用者の所在雰囲気中（利用者が所在している場所）の気象データとして、気温，水温，湿度，気圧，水圧，日照状況，紫外線量，のうちの少なくとも一つを所定周期で検出する超小型のものであるが、本実施形態では、気温（もしくは水温），湿度，気圧（もしくは水圧）などを中心に検出するものとする。
【００６６】
閾値テーブル１１４は、利用者の体調を判定するための生体データ閾値を、気象条件毎に予め設定されて保持するもので、後述するＣＰＵ１１１の閾値設定手段１１１ｂとしての機能によって作成・設定されるもので、配合出力装置１００を構成する例えばＲＡＭ（Random Access Memory），ＲＯＭ（Read Only Memory），ハードディスク等の記憶部に保存・格納されている。
【００６７】
このとき、生体データ閾値は、利用者毎に異なるほか、生活環境や作業環境によっても異なるもので、利用者毎に、環境に応じた気象条件に従って設定される。利用者の平常時の体温Ｔ０，血圧Ｐ０，心拍数Ｎ０を基準にして、例えば、高温多湿環境下で生活や作業を行なう場合には、気象条件が気温２５〜３０℃かつ湿度８０％以上である時（気象条件１）の生体データ閾値として体温Ｔ１，血圧Ｐ１，心拍数Ｎ１を設定し、気象条件が気温３０〜３５℃かつ湿度６０％以上である時（気象条件２）の生体データ閾値として体温Ｔ２，血圧Ｐ２，心拍数Ｎ２を設定し、気象条件が気温３５℃以上かつ湿度５０％以上である時の生体データ閾値として体温Ｔ３，血圧Ｐ３，心拍数Ｎ３を設定しておく。そして、気象条件１である時（気象条件３）には利用者の実際の体温Ｔ，血圧Ｐ，心拍数Ｎのいずれか一つもしくは全てが閾値Ｔ１，Ｐ１，Ｎ１を超えた場合、また、気象条件２である時には利用者の実際の体温Ｔ，血圧Ｐ，心拍数Ｎのいずれか一つもしくは全てが閾値Ｔ２，Ｐ２，Ｎ２を超えた場合、さらに、気象条件３である時には利用者の実際の体温Ｔ，血圧Ｐ，心拍数Ｎのいずれか一つもしくは全てが閾値Ｔ３，Ｐ３，Ｎ３を超えた場合、利用者の体調が異状（熱中症等）であると判定する。
【００６８】
また、低温環境下で生活や作業を行なう場合には、気象条件が気温０〜１０℃である時（気象条件４）の生体データ閾値として体温Ｔ４を設定し、気象条件が気温−１０〜０℃である時（気象条件５）の生体データ閾値として体温Ｔ５を設定し、気象条件が気温−１０℃以下である時（気象条件６）の生体データ閾値として体温Ｔ６を設定しておく。そして、気象条件４である時には利用者の実際の体温Ｔが閾値Ｔ４を下回った場合、また、気象条件５である時には利用者の実際の体温Ｔが閾値Ｔ５を下回った場合、さらに、気象条件６である時には利用者の実際の体温Ｔが閾値Ｔ６を下回った場合、利用者の体調が異状（低体温症等）であると判定する。
【００６９】
さらに、高高度（低気圧）環境下で生活や作業を行なう場合には、気象条件が気圧Ａ２〜Ａ１である時（気象条件７）の生体データ閾値として心拍数Ｎ７，呼吸数Ｋ７を設定し、気象条件が気圧Ａ３〜Ａ２である時（気象条件８）の生体データ閾値として心拍数Ｎ８，呼吸数Ｋ８を設定し、気象条件が気温３５℃以上かつ湿度５０％以上である時（気象条件９）の生体データ閾値として心拍数Ｎ９，呼吸数Ｎ９を設定しておく。そして、気象条
件７である時には利用者の実際の心拍数Ｎ，呼吸数Ｋのいずれか一方もしくは両方が閾値Ｎ７，Ｋ７を超えた場合、また、気象条件８である時には利用者の実際の心拍数Ｎ，呼吸数Ｋのいずれか一方もしくは両方が閾値Ｎ８，Ｋ８を超えた場合、さらに、気象条件９である時には利用者の実際の心拍数Ｎ，呼吸数Ｋのいずれか一方もしくは両方が閾値Ｎ９，Ｋ９を超えた場合、利用者の体調が異状（高山病等）であると判定する。
【００７０】
また、水中で生活や作業を行なう場合には、気象条件が水圧Ｗ１〜Ｗ２かつ水温がＬ２〜Ｌ１である時（気象条件１０）の生体データ閾値として体温Ｔ１０，心拍数Ｎ１０を設定し、気象条件が水圧Ｗ２〜Ｗ３かつ水温がＬ３〜Ｌ２である時（気象条件１１）の生体データ閾値として体温Ｔ１１，心拍数Ｎ１１を設定し、気象条件が水圧Ｗ３以上かつ水温がＬ３以下である時（気象条件１２）の生体データ閾値として体温Ｔ１２，心拍数Ｎ１２を設定しておく。そして、気象条件１０である時には利用者の実際の体温Ｔ，心拍数Ｎのいずれか一方もしくは両方が閾値Ｔ１０，Ｎ１０を下回った場合、また、気象条件１１である時には利用者の実際の体温Ｔ，心拍数Ｎのいずれか一方もしくは両方が閾値Ｔ１１，Ｎ１１を下回った場合、さらに、気象条件１２である時には利用者の実際の体温Ｔ，心拍数Ｎのいずれか一方もしくは両方が閾値Ｔ１２，Ｎ１２を下回った場合、利用者の体調が異状（潜水除脈，低体温症等）であると判定する。
【００７１】
また、以上のような明らかな体調異常だけでなく、正常より若干の塩分不足、水分不足、発熱、体温低下、脈拍低下、などについても、判定する。この際も、生体データだけでなく、気象条件に基づいた判定を行う。
【００７２】
配合データメモリ１１７は、以上のようにして判定された各種環境下における利用者の体調、あるいは、通信手段を介した外部からの指示も加味した状態における食品類や薬剤などの配合のデータが予め格納されている。
【００７３】
すなわち、高温環境で体温が上昇している場合には、水分補給のみでは塩分が不足するため、調味料あるいはサプリメントに塩分を追加する配合が考えられる。また、ナトリウム分の取り過ぎが指摘されている場合には、塩分としてナトリウムを減らしてカリウムを増加させる配合が考えられる。また、心拍数が低下している場合には、通常のビタミン類の配合に加え、心臓に良いサプリメント（コエンザイムＱ１０など）を通常より多めにする配合が考えられる。このようにして、配合データメモリ１１７には、各種の体調や環境や外部からの指示に応じて、健康食品の場合でも調味料の場合でもサプリメントの場合でも、それぞれに適した配合が可能になるデータが予め格納されている。
【００７４】
なお、この配合のデータを、収容手段１２０Ａ〜１２０Ｃとして実際に装着されている種類に応じて、通信手段１１１ｆを介して外部のサーバ（図示せず）から更新することも可能である。
【００７５】
ＧＰＳ位置検出部（位置検出手段）１３は、利用者の現在の所在位置（経度・緯度情報）を、全地球方位計測システム〔ＧＰＳ(Global Positioning Systems)〕によって所定周期で検出するものである。その際、利用者の現在の所在位置として、高度や深度を検出してもよい。
【００７６】
その場合、気圧に基づいて高度を計測する高度計（気象センサの気圧測定機能で代用可）や、水圧に基づいて深度を計測する深度計（気象センサの水圧測定機能で代用可）を付加的な位置検出手段としてそなえてもよい。
【００７７】
生体センサ１１５は、利用者の身体の一部（例えば腕）に装着されて、利用者の生体データ値として、体温，血圧，心拍数，呼吸数，脈波，心電，血中酸素飽和濃度，血中酸素
濃度，筋組織酸素濃度，血糖値などのうちの少なくとも一つを所定周期で検出するものである。
【００７８】
なお、気象センサ１１２，ＧＰＳ位置検出部１１３および生体センサ１１５は、配合出力装置１００の本体に内蔵もしくは外付けされ、ケーブル等を介して有線接続、もしくは無線接続され、所定周期で検出された結果を配合出力装置１００の本体のＣＰＵ１１１に送信するようになっている。なお、この実施形態では、気象センサ１１２，ＧＰＳ位置検出部１１３および生体センサ１１５、配合出力装置１００のボトル本体部１０１に内蔵されているものとして説明を行う。
【００７９】
操作スイッチ１１６は、配合出力装置１００を利用者が使用する際に動作を開始させたり、食品類あるいは薬剤を配合して吐出させるスイッチであり、接触を検知するスイッチ、プッシュあるいはスライドスイッチ、加速度を検知する加速度センサ、本体への圧力を検知する圧力センサなどを用いることが可能である。
【００８０】
収容手段１２０Ａ〜１２０Ｃは図３に示したように、所望の各種の食品類（健康食品、調味料、もしくはサプリメントなど）あるいは薬剤が種類別に収容されている容器である。また、食品類や薬剤に添加する香料、アロマオイル、着色料などを収容することも可能である。
【００８１】
ここで、種類別とは、食品類あるいは薬剤の材質が異なる場合だけでなく、濃度が異なる場合も含む。
また、流量制御バルブ１４０は、ＣＰＵ１１１の指示に基づいて開閉および流量の制御がなされ、所望の食品類あるいは薬剤が指示された量だけ通過する制御を行う。
【００８２】
収容手段１２０Ａ〜１２０Ｃと、これら収容手段１２０Ａ〜１２０Ｃの出口から注ぎ口１０３へ導く誘導パイプ１３０Ａ〜１３０Ｃと、前記回路部１１０からの制御に基づいて前記誘導パイプ１３０Ａ〜１３０Ｃのそれぞれの開閉および流量制御を行う流量制御バルブ１４０と、が設けられている。
【００８３】
そして、ＣＰＵ１１１内部の制御手段１１１ａは、後述する比較結果から利用者の体調判を判定し、該判定結果に応じて複数の収容物のそれぞれの中から適した配合を決定すると共に、決定に応じた種類と量の食品類あるいは薬剤の出力の制御を行う。また、この際に必要に応じて、通信手段１１１ｆを介したネットワーク経由の外部の指示や、気象センサ１１２によって得られた利用者の所在環境も参照する。また、制御手段１１１ａは、通信手段１１１ｆの通信動作を制御する。
【００８４】
閾値設定手段１１１ｂは、上述した閾値テーブル１１４を利用者毎に且つ生活環境／作業環境に応じた気象条件毎に作成・設定するもので、利用者の平常時の体温Ｔ０，血圧Ｐ０，心拍数Ｎ０を基準として、上述のごとき気象条件と所定の生体データ閾値との対を入力設定するためのもので、利用者等が手動操作で入力するように構成されていてもよいし、利用者の平常時の体温Ｔ０，血圧Ｐ０，心拍数Ｎ０と生活環境／作業環境とを指定入力することにより、自動的に入力するように構成されていてもよい。
【００８５】
閾値読出手段１１１ｃは、気象センサ１１２によって検出された気象データ（気温／水温，湿度，気圧／水圧）に対応する気象条件について設定された生体データ閾値を閾値テーブル１１４から検索して読み出すものである。
【００８６】
比較手段１１１ｄは、閾値読出手段１１１ｃによって読出された生体データ閾値と生体センサ１１５によって検出された生体データ値（体温，血圧，心拍数，呼吸数）とを比較
し、上述したような基準に従って利用者の体調を判定するものである。
【００８７】
駆動手段１１１ｅは、制御手段１１１ａの制御により、決定された配合に応じた種類と量の食品類あるいは薬剤の出力を行うために、流量制御バルブ１４０の開閉の駆動を行う。この場合、駆動手段１１１ｅは、流量制御バルブ１４０から流量の検出結果を受けつつ、流量制御バルブ１４０のバルブ開閉の駆動を行う。
【００８８】
通信手段１１１ｆは、制御手段１１１ａによって動作を制御され、ネットワーク経由で外部のサーバ（図示せず）などからの指示を受け取る。また、必要に応じて、気象センサ１１２の検出結果や生体センサ１１５の検出結果を外部のサーバ（図示せず）に送信する。
【００８９】
〔２〕本発明の一実施形態の動作：
次に、図４に示すフローチャートを参照しながら、本実施形態の動作について説明する。ここで、配合出力装置１００の動作説明が、配合出力プログラムの処理手順の説明となる。
【００９０】
利用者による操作スイッチ１１６の操作があった場合、あるいは、加速度センサを搭載している場合に配合出力装置１００に一定以上の加速度が加えられた場合、あるいは、圧力センサを搭載している場合に配合出力装置１００に一定以上の圧力が加えられた場合、制御手段１１１ａは利用者からの利用開始があったものとして、配合出力プログラムの処理を開始する（図４中のステップＳ４０１）。
【００９１】
ここで、気象センサ１１２は、利用者が所在している雰囲気中の気象データ（気温／水温，湿度，気圧／水圧など）を所定周期で検出し、検出された気象データ値をＣＰＵ１１１に送信する（図４中のステップＳ４０２）。
【００９２】
また、これと並行して、生体センサ１１５は、配合出力装置１００の本体表面に配置された電極部１１５ａ〜１１５ｂに接触している利用者の指や掌から、利用者の生体データ値（体温，血圧，心拍数，呼吸数，血糖値など）を所定周期で検出し、検出された生体データ値をＣＰＵ１１１に送信する（図４中のステップＳ４０３）。さらに、ＧＰＳ位置検出部１１３は、利用者の現在の所在位置（経度・緯度情報）を全地球方位計測システムによって所定周期で検出し、検出された所在位置をＣＰＵ１１１に送信する。
【００９３】
ここで、これら気象センサ１１２、ＧＰＳ位置検出部１１３および生体センサ１１５によるＣＰＵ１１１への送信動作は、上記所定周期で同期して実行されるように制御されているものとする。
【００９４】
ここで、気象センサ１１２によって検出された気象データ（気温／水温，湿度，気圧／水圧など）に対応する気象条件について前述のごとく設定された生体データ閾値が、閾値読出手段１１１ｃにより、閾値テーブル１１４から検索されて読み出される（図４中のステップＳ４０４）。
【００９５】
そして、比較手段１１１ｄにおいて、閾値読出手段１１１ｃによって読出された生体データ閾値と、生体センサ１１５によって検出された生体データ値（体温，血圧，心拍数，呼吸数など）とが比較される。そして、この比較結果と上述したような基準とに従って、制御手段１１１ａにおいて、利用者の体調が判定される（図４中のステップＳ４０５）。
【００９６】
なお、この比較と体調判定の際に、通常の異常状態のパターンと異なる生体データ値が検出されている場合には（図４中のステップＳ４０６でＮ）、現時点での利用者が、本実
施形態で対応できる範囲を超えた体調異常であるか、あるいは、予め設定された利用者本人でない可能性があるため、エラー表示を行う（図４中のステップＳ４０７）。そして、配合出力プログラムの処理を終了させる（図４中のエンド）。
【００９７】
また、この比較と体調判定により、予め設定された利用者本人であって、いずれかの体調と判定された場合（図４中のステップＳ４０６でＹ）には、制御手段１１１ａは、配合しようとする食品類あるいは薬剤に対して、処方箋あるいはそれに準じた責任者のアドバイスが必要であるかを調べる（図４中のステップＳ４０８）。
【００９８】
処方箋やアドバイスが必要である場合（図４中のステップＳ４０９でＹ）には、制御手段１１１ａは、上述した判定結果を通信手段１１１ｆから、ネットワーク経由で外部のサーバ（図示せず）などに送信する（図４中のステップＳ４０９）。なお、このような外部のサーバが、処方箋やアドバイスに対して応答したり、電子的な承認を与える。
【００９９】
そして、以上の判定結果送信（図４中のステップＳ４０９）に対してネットワーク経由で電子的な承認が得られない場合（図４中のステップＳ４１０でＮ）、本実施形態による食品類あるいは薬剤の配合が望ましくない可能性があるため、エラー表示を行い（図４中のステップＳ４１１）、配合出力プログラムの処理を終了させる（図４中のエンド）。
【０１００】
また、処方箋やアドバイスが必要であって判定結果送信（図４中のステップＳ４０９）に対してネットワーク経由で電子的な承認が得られた場合（図４中のステップＳ４１０でＹ）、あるいは、処方箋やアドバイスが不要である場合（図４中のステップＳ４０８でＮ）、制御手段１１１ａは配合データメモリ１１７に格納された配合データを参照して、適切な配合を決定する（図４中のステップＳ４１２）。
【０１０１】
そして、配合出力装置１００の本体が利用者によって握られて圧力を加えられた場合、あるいは、利用者によって振られて加速度が加えられた場合、その操作に応じて制御手段１１１ａは、決定された配合に応じた種類と量の食品類あるいは薬剤の出力を行うために、流量制御バルブ１４０の開閉の駆動を行う（図４中のステップＳ４０９）。これにより、収容手段１２０Ａ〜１２０Ｃ内部の加圧ガス、利用者による加圧、利用者による振る動作などのいずれかによって、誘導パイプ１３０Ａ〜１３０Ｃと流量制御バルブ１４０とを介して、決定された配合に応じた種類と量の食品類あるいは薬剤の吐出がなされる。
【０１０２】
すなわち、利用者の所在環境とその時点での体調とにおいて適切と判断された種類と量の配合がなされた健康食品、調味料、サプリメント、薬剤などが、注ぎ口１０３から吐出される。なお、収容手段１２０Ａ〜１２０Ｃと流量制御バルブ１４０との構成により、液体、固体（粒）、顆粒、粉末、流動体、のいずれに対しても適用することが可能である。この場合、複数の収容手段から収容物が出力される場合もあれば、いずれか一つの収容手段からの収容物が出力される場合もありうる。
【０１０３】
この場合、利用者の自己判断や過去の検査データのみに頼らず、各種環境下における利用者の体調を適切に判定しているため、利用者の体調に応じてリアルタイムで適切な食品類（健康食品、調味料、もしくはサプリメントなど）あるいは薬剤の配合を行うことが可能になる。
【０１０４】
また、通信手段１１１ｆとネットワークを介して外部の指示も加味することで、今後予想される気象の変化（天候の変化など）も予め加味した状態での適切な配合が可能になる。また、ＧＰＳ位置検出部１１３で検出される位置データを参照することで、登山途中や下山途中に、今後予想される環境に適した配合を事前に行うことも可能になる。
【０１０５】
また、制御手段１１１ａが配合データメモリ１１７に配合結果を累積して記憶しておくことにより、その後の配合を調整し、健康食品、調味料、もしくはサプリメントなどの各種成分を過剰に摂取することも予防できる。
【０１０６】
また、生体センサ１１５として、アルコール検知センサの機能を設けておき、配合データメモリ１１７にアルコールとの関係のデータを収めておくことで、アルコールとの併用が禁じられている、もしくは望ましくない食品類あるいは薬剤の摂取を避けるように配合することも可能である。
【０１０７】
また、配合データメモリ１１７に各成分と接種時刻との望ましい関係のデータを収めておき、制御手段１１１ａは、時刻データを参照して配合を行うことで、所在環境や体調だけでなく、食前、食後、食間、就寝前などに適した配合を行うことが可能になる。
【０１０８】
また、図５に示すように、チューブ一体型の歯ブラシとして、本実施形態を応用することも可能である。ここでは、本体部１０１’が歯ブラシの握り部を構成すると共に、収容手段１２０Ａ〜１２０Ｃと、流量制御バルブ１４０を内蔵している。そして、ブラシ部１６０の根本付近には、流量制御バルブ１４０から薬剤（歯磨き粉）を導く誘導パイプ１５０が設けられている。なお、この図５では、回路部１１０や生体センサ１１５は省略した状態で示しているが、上述した実施形態と同様に構成することが可能である。
【０１０９】
そして、この場合、本体部１０１’と収容手段１２０Ａ〜１２０Ｃが軟質ビニール樹脂などの柔らかな材質で構成されていて、利用者が本体部１０１’を握ることで、収容手段１２０Ａ〜１２０Ｃ内部の歯磨き粉が絞り出される。なお、収容手段１２０Ａ〜１２０Ｃに収容されている薬剤（歯磨き粉）としては、口臭予防、虫歯予防、歯茎ケア、ホワイトニングなどの、各種の用途の成分が収容されている。この際に、流量制御バルブ１４０が、上述したように制御手段１１１ａにより決定された配合に応じた量と種類の歯磨き粉の吐出が実行される。また、ここでは、収容手段１２０Ａ〜１２０Ｃの３本（３種類）の例を示したが、２種類であってもよいし、４種類以上であってもよい。
【０１１０】
さらに、このチューブ一体型の歯ブラシを簡易に構成するため、気象センサを省略し、生体データ値に基づいた体調判定に応じて制御手段１１１ａが、予め定められた配合メニューとを参照して配合を決定し、所定の成分の歯磨き粉を吐出できるように流量制御バルブ１４０を制御してもよい。なお、このチューブ一体型歯ブラシの場合に、生体センサとして、臭いセンサなどを設けてもよい。
【０１１１】
さらに、このチューブ一体型の歯ブラシを簡易に構成するため、生体センサを省略し、制御手段１１１ａが内蔵するタイマにより得た時刻情報と予め定められた配合メニューとを参照し、朝、昼、夜、などの時刻別の配合を行って歯磨き粉を吐出できるように流量制御バルブ１４０を制御してもよい。たとえば、朝は口臭予防の成分を多めにしたり、夜は虫歯予防の成分を多めにしたりといった配合が可能である。
【０１１２】
また、複数の歯磨き粉、複数の着色料、複数の香料、複数の甘味料などを収容しておき、時刻に応じた成分の歯磨き粉を選択すると共に、時刻に応じた色（朝は意識をはっきりさせる色の着色料、夜は精神を落ち着かせる色の着色料など）、時刻に応じた香料（朝は意識をはっきりさせる香料、夜は精神を落ち着かせる香料など）、時刻に応じた味（朝は意識をはっきりさせる刺激的な味の甘味料、夜は精神を落ち着かせる柔らかな味の甘味料など）、を選択して組み合わせることも可能である。
【０１１３】
また、予め、口臭予防成分を多めにした朝用歯磨き粉、虫歯予防成分を多めにした夜用歯磨き粉などを、収容手段１２０Ａ〜１２０Ｃに収容しておいて、時刻情報に応じて制御
手段１１１ａがいずれか一つを選択して出力するようにしてもよい。
【０１１４】
〔３〕その他：
なお、本発明は上述した実施形態に限定されるものではなく、本発明の趣旨を逸脱しない範囲で種々変形して実施することができる。
【０１１５】
例えば、上述した制御手段１１１ａ，閾値設定手段１１１ｂ，閾値読出手段１１１ｃ，比較手段１１１ｄ，駆動手段１１１ｅ，通信手段１１１ｆとしての機能（各手段の全部もしくは一部の機能）は、コンピュータ（ＣＰＵ，情報処理装置，各種端末を含む）が所定のアプリケーションプログラム（配合出力プログラム）を実行することによって実現される。
【０１１６】
そのプログラムは、例えばフレキシブルディスク，ＣＤ（ＣＤ−ＲＯＭ，ＣＤ−Ｒ，ＣＤ−ＲＷなど），ＤＶＤ（ＤＶＤ−ＲＯＭ，ＤＶＤ−ＲＡＭ，ＤＶＤ−Ｒ，ＤＶＤ−ＲＷ，ＤＶＤ＋Ｒ，ＤＶＤ＋ＲＷなど）等のコンピュータ読取可能な記録媒体に記録された形態で提供される。この場合、コンピュータはその記録媒体から配合出力プログラムを読み取って内部記憶装置または外部記憶装置に転送し格納して用いる。また、そのプログラムを、例えば磁気ディスク，光ディスク，光磁気ディスク等の記憶装置（記録媒体）に記録しておき、その記憶装置から通信回線を介してコンピュータに提供するようにしてもよい。
【０１１７】
ここで、コンピュータとは、ハードウエアとＯＳ（オペレーティングシステム）とを含む概念であり、ＯＳの制御の下で動作するハードウエアを意味している。また、ＯＳが不要でアプリケーションプログラム単独でハードウェアを動作させるような場合には、そのハードウェア自体がコンピュータに相当する。ハードウエアは、少なくとも、ＣＰＵ等のマイクロプロセッサと、記録媒体に記録されたコンピュータプログラムを読み取るための手段とをそなえている。上記配合出力プログラムとしてのアプリケーションプログラムは、上述のようなコンピュータに、制御手段１１１ａ，閾値設定手段１１１ｂ，閾値読出手段１１１ｃ，比較手段１１１ｄ，駆動手段１１１ｅ，通信手段１１１ｆとしての機能を実現させるプログラムコードを含んでいる。また、その機能の一部は、アプリケーションプログラムではなくＯＳによって実現されてもよい。
【０１１８】
さらに、本実施形態における記録媒体としては、上述したフレキシブルディスク，ＣＤ，ＤＶＤ，磁気ディスク，光ディスク，光磁気ディスクのほか、ＩＣカード，ＲＯＭカートリッジ，磁気テープ，パンチカード，コンピュータの内部記憶装置（ＲＡＭやＲＯＭなどのメモリ），外部記憶装置等や、バーコードなどの符号が印刷された印刷物等の、コンピュータ読取可能な種々の媒体を利用することもできる。
【０１１９】
また、以上の具体例では、食品類（健康食品、調味料、健康ドリンク、もしくはサプリメントなど）の配合を行うものについて説明してきたが、医薬品、医薬部外品などの薬剤に適用する場合、必要な法令の基準を満たした上で実行することが望ましい。
【０１２０】
また、通信手段１１１ｆを介して、医師等の承認や処方箋を電子データとして得る場合も、必要な法律上の条件を満たした上で、本実施形態の配合出力装置１００が配合（調合や調剤）を行うことが望ましい。
【０１２１】
また、以上の具体例では、粒状あるいは液状のものを経口接種などにより服用する際の配合であったが、液体の薬剤を注射する場合にも、本実施形態を適用することが可能である。
【０１２２】
また、注射器シリンダ内のピストン部をアクチュエータで駆動する電動注射器が近年使用されてきている。そこで、複数の電動注射器を一体として組み合わせた状態に構成し、これら複数の電動注射器の各シリンダを上記実施形態の収容手段と読み替えることで、注射器タイプの体調適応型食品調合装置１００を実現することができる。
【０１２３】
この場合、以上の実施形態の流量制御バルブ１４０の代わりに、制御手段１１１ａと駆動手段１１１ｃとが、ピストン部を駆動するアクチュエータの駆動を行えばよい。
なお、電動注射器の針は、従来型の手動式の針よりも極めて細いため、複数本の電動注射器の針を集合させた状態で構成すれば、違和感のない状態で、複数の薬剤を利用者の利用者の体調に応じてリアルタイムで適切な配合を行うことが可能になる。
【０１２４】
また、針を一本にして、複数のシリンダと１本の針の間に混合室を設けることも可能である。
また、以上の経口服用や注射以外に、塗り薬を塗布する際の配合に用いることも可能である。この場合も、消毒薬、冷湿布薬、温湿布薬など、複数の薬剤を利用者の利用者の体調や症状に応じてリアルタイムで適切な配合を行うことが可能になる。
【図面の簡単な説明】
【０１２５】
【図１】本発明の一実施形態としての配合出力装置の構成を示すブロック図である。
【図２】本発明の一実施形態としての配合出力装置の構成を示す斜視図である。
【図３】本発明の一実施形態としての配合出力装置の構成を示す説明図である。
【図４】本実施形態の動作（配合出力装置を成すＣＰＵの動作）を説明するためのフローチャートである。
【図５】本発明の一実施形態としての配合出力装置の構成を示す説明図である。
【符号の説明】
【０１２６】
１００    配合出力装置
１１１    ＣＰＵ
１１１ａ  制御手段
１１１ｂ  閾値設定手段
１１１ｃ  閾値読出手段
１１１ｄ  比較手段
１１１ｅ  駆動手段
１１１ｆ  通信手段
１１２    気象センサ
１１３    ＧＰＳ位置検出部
１１４    閾値テーブル
１１５    生体センサ
１１６    操作スイッチ
１１７  配合データメモリ
１２０Ａ〜１２０Ｃ  収容手段
１４０    流量制御バルブ
【図１】
2008068062.tif 000003
【図２】
2008068062.tif 000004
【図３】
2008068062.tif 000005
【図４】
2008068062.tif 000006
【図５】
2008068062.tif 000007